(57)【特許請求の範囲】
【請求項１】
ポリマー碍子の胴部表面を覆うポリマー碍子用防護カバーであって、
前記ポリマー碍子用防護カバーは、３００〜１０００％の伸びを有する常温伸縮ゴムによって形成されており、
大径筒部と、その大径筒部に連続する小径筒部とから一体成形されており、
前記小径筒部は、前記ポリマー碍子の胴部において設けられている、胴部の径方向外方に延びる突部の径よりも、大きな径に引き伸ばすことができ、かつ、その引き伸ばしを解除すれば、胴部表面に、圧着固定できるような径として形成されており、
前記大径筒部は、前記小径筒部が胴部表面に圧着固定された状態において、その胴部表面と間隔を隔てて配置されるように形成されており、
前記小径筒部を、引き伸ばした状態において、前記ポリマー碍子の軸方向一端部から、その胴部に挿入して、前記突部を通過させた後、引き伸ばしを解除することにより、その胴部に圧着固定されていることを特徴とする、ポリマー碍子用防護カバー。
【請求項２】
ポリマー碍子によって構成され、請求項１に記載のポリマー碍子用防護カバーを備えていることを特徴とする、電線用スペーサ。
【請求項３】
電線の本線と、
前記本線から、空中で分岐されている分岐線と、
前記本線の下方に張設されるメッセンジャーワイヤーと、
前記メッセンジャーワイヤーの長手方向の途中に介装される、請求項２に記載される電線用スペーサとを備えており、
前記分岐線が、前記電線用スペーサに支持されていることを特徴とする、電線の空中分岐構造。
【発明の詳細な説明】
【０００１】
【発明の属する技術分野】
本発明は、ポリマー碍子用防護カバー、電線用スペーサおよび電線の空中分岐構造に関し、詳しくは、耐塩用として好適に用いられるポリマー碍子用防護カバー、電線用スペーサおよび電線の空中分岐構造に関する。
【０００２】
【従来の技術】
近年、繊維強化プラスチック（以下、ＦＲＰと省略する。）を芯材としたポリマー碍子が、軽量、加工容易、高強度などの優れた特徴を有することから、広く使用されるようになってきている。このようなポリマー碍子には、たとえば、互いに並行する複数の電線間に介在させるための電線用スペーサが知られており、そのような電線用スペーサを、たとえば、沿岸地域などで用いる場合には、塩分による汚損を防止するために、その電線用スペーサの胴部を、その胴部表面と所定の間隔を隔てて覆うことのできる筒状の保護カバーを取り付けることが知られている。
【０００３】
すなわち、たとえば、特開平９−９４７２号公報には、芯材を直接被覆する被覆材と、このような筒状の保護カバーとが、一体に成形された電線用スペーサが記載されており、また、特開平９−２３３６６２号公報には、芯材の端部を嵌着する金具に、筒状の保護カバーが取り付けられている電線用スペーサが記載されている。
【０００４】
【発明が解決しようとする課題】
しかし、特開平９−９４７２号公報に記載される電線用スペーサでは、保護カバーが、芯材を直接被覆する被覆材と一体として成形されているので、既存の電線用スペーサに、保護カバーを取り付けて使用することができず、汎用性に欠け、また、電線用スペーサの胴部において、保護カバーの配置を任意に変更することもできないため、用途が限られるという不具合を有する。
【０００５】
また、特開平９−２３３６６２号公報に記載される電線用スペーサにおいても、保護カバーは、引張強度および衝撃強度の高い合成ゴムによって成形されており、それが金具に取り付けられているので、保護カバーの配置を任意に変更することはできず、用途が限られるという不具合を有する。
【０００６】
本発明は、上記した不具合を解決するためになされたものであり、その目的とするところは、ポリマー碍子の胴部に、容易に取り付けることができ、かつ、その取付位置を任意に選択することのできるポリマー碍子用防護カバー、そのポリマー碍子用防護カバーを備える電線用スペーサ、および、その電線用スペーサを備える電線の空中分岐構造を提供することにある。
【０００７】
【課題を解決するための手段】
上記の目的を達成するため、請求項１に記載の発明は、ポリマー碍子の胴部表面を覆うポリマー碍子用防護カバーであって、前記ポリマー碍子用防護カバーは、３００〜１０００％の伸びを有する常温伸縮ゴムによって形成されており、大径筒部と、その大径筒部に連続する小径筒部とから一体成形されており、前記小径筒部は、前記ポリマー碍子の胴部において設けられている、胴部の径方向外方に延びる突部の径よりも、大きな径に引き伸ばすことができ、かつ、その引き伸ばしを解除すれば、胴部表面に、圧着固定できるような径として形成されており、前記大径筒部は、前記小径筒部が胴部表面に圧着固定された状態において、その胴部表面と間隔を隔てて配置されるように形成されており、前記小径筒部を、引き伸ばした状態において、前記ポリマー碍子の軸方向一端部から、その胴部に挿入して、前記突部を通過させた後、引き伸ばしを解除することにより、その胴部に圧着固定されていることを特徴としている。
【０００８】
このようなポリマー碍子用防護カバーを用いると、このポリマー碍子用防護カバーの小径筒部を引き伸ばした状態で、ポリマー碍子の軸方向からその胴部に挿入して、突部を通過させた後、引き伸ばしを解除すれば、その胴部における任意の位置に、このポリマー碍子用防護カバーを容易に圧着固定することができる。そのため、たとえば、耐塩用として専用のポリマー碍子を用意せずとも、既存のポリマー碍子に取り付けて、耐塩用として用いることができる。また、ポリマー碍子用防護カバーのみを単独で成形して既存のポリマー碍子に取り付けるため、たとえば、芯材の被覆材と一体成形する場合などに比べて、専用の大きな金型などが不要であり、コストの低減化を図ることができる。さらに、取付後においても、再び、引き伸ばせば、胴部における別の位置に取り付けることができるので、常に実使用に即した、変更使用が可能となり、さらには、再び、取り外して、ポリマー碍子を元の状態で使用することもできる。
【０００９】
また、請求項２に記載の発明は、電線用スペーサであって、ポリマー碍子によって構成され、請求項１に記載のポリマー碍子用防護カバーを備えていることを特徴としている。
【００１０】
このような電線用スペーサでは、その胴部において、取付位置を任意に選択してポリマー碍子用防護カバーを容易に取り付けることができるので、取付位置の自由度が大きく、そのため、常に実使用に即して、ポリマー碍子用防護カバーが配置された状態で使用することができる。
【００１１】
また、請求項３に記載の発明は、電線の本線と、前記本線から、空中で分岐されている分岐線と、前記本線の下方に張設されるメッセンジャーワイヤーと、前記メッセンジャーワイヤーの長手方向の途中に介装される、請求項２に記載される電線用スペーサとを備えており、前記分岐線が、前記電線用スペーサに支持されていることを特徴としている。
【００１２】
道路の交差点付近などにおいては、道路占用許可の条件などにより電柱を設けることができず、そのため、水平に配線された電線においては、空中でＴ型分岐を行なって本線から分岐線を分岐する、いわゆる空中Ｔ型分岐構造が採用されている。すなわち、この空中Ｔ型分岐構造は、複数の本線よりも下方にメッセンジャーワイヤーを張設して、碍子を介してこのメッセンジャーワイヤーに複数の分岐線をそれぞれ支持するものである。
【００１３】
このような空中Ｔ型分岐構造において、メッセンジャーワイヤーの途中にポリマー碍子からなる電線用スペーサを介在させて、各本線から分岐された各分岐線を、その電線用スペーサによって支持させれば、各分岐線を絶縁した状態で容易に支持させることができる。
【００１４】
しかるに、このような空中Ｔ型分岐構造は、いろいろな場所において設置されるので、メッセンジャーワイヤーの途中に介在させる電線用スペーサとして、請求項２に記載の電線用スペーサを用いれば、各設置場所に常に適するように、ポリマー碍子用防護カバーを電線用スペーサの胴部に配置させて使用することができる。そのため、たとえば、沿岸地域においても、長期において電流の漏れのない、空中Ｔ型分岐構造を提供することができる。
【００１５】
【発明の実施の形態】
図１は、本発明のポリマー碍子用防護カバーを備えている電線用スペーサの一実施形態を示す側面図である。
【００１６】
図１において、この電線用スペーサ１は、後述する電線の空中分岐構造において、メッセンジャーワイヤーの途中に取り付けられるものであって、ポリマー碍子２によって構成され、ポリマー碍子用防護カバー（以下、防護カバーと省略する。）３を備えている。
【００１７】
ポリマー碍子２は、中実円柱状に形成されたＦＲＰ製の芯材４と、この芯材４の両端部が挿入固定される２つの支持金具５と、この芯材４を長さ方向にわたって被覆する被覆材６と、この芯材４の長さ方向途中に複数設けられる取付部材７とを備えている。
【００１８】
各支持金具５は、芯材４の両端部が挿入される筒部８を有し、この筒部８に、芯材４の両端部が挿入された状態で、筒部８がダイスなどによってかしめられることにより、芯材４の両端部が各支持金具５の筒部８に圧着固定されている。なお、図１には現れないが、被覆材６の端部も、各支持金具５の筒部８の開口端部において圧着固定されようになる。また、各支持金具５は、筒部８に連続する略コ字状の固定部９を有し、この固定部９には、一端がピン止めされる固定ボルト１０が挿通されている。
【００１９】
被覆材６は、シリコーンゴムからなり、芯材４の長さ方向にわたって、その周りを直接被覆するように形成されており、径方向外方に延びるかさ状の突部１４を、軸方向において所定の間隔を隔てて複数有している。
【００２０】
取付部材７は、エポキシ樹脂などの合成樹脂からなり、断面略凹状のリング形状をなし、この芯材４の周りに、軸方向において略等間隔隔てて複数（３つ）設けられている。
【００２１】
なお、このようなポリマー碍子２において、以下の説明において胴部１１とは、各支持金具５の間の部分を言うものとする。
【００２２】
防護カバー３は、３００〜１０００％、より好ましくは、５００〜８００％の伸びと、耐トラッキング性（たとえば、ＩＥＣ６０５８７−３．５ｋＶ 判定Ａ、Ｂともに合格以上）とを有する、たとえば、シリコーンゴムなどの常温伸縮ゴムからなり、図２にも示すように、大径筒部１２と、その大径筒部１２に連続する小径筒部１３とが一体成形されている。小径筒部１３は、ポリマー碍子２の胴部１１において設けられている部材、すなわち、突部１４や取付部材７などの径よりも、大きな開口径に引き伸ばすことができ、かつ、その引き伸ばしを解除すれば、その胴部１１において、被覆材６の外周面に、この小径筒部１３を圧着固定できるような径として形成されている。また、大径筒部１２は、小径筒部１３が被覆材６の表面に圧着固定された状態において、その被覆材６の外周面と所定の間隔を隔てて対向状に配置されるように形成されている。
【００２３】
そして、このような防護カバー３は、たとえば、小径筒部１３を、その開口部が広くなるように引き伸ばした状態において、ポリマー碍子２の軸方向一端部から、その胴部１１に挿入して、配置によっては、突部１４や取付部材７などを通過させた後、引き伸ばしを解除することにより、その胴部１１における所定の位置に圧着固定されている。より具体的には、この防護カバー３は、ポリマー碍子２の胴部１１において、所定の間隔を隔てて複数設けられており、たとえば、図１においては、胴部１１の両端部において、２つ防護カバー３が、その大径筒部１２の開口部が軸方向内向きとなるように配置されるとともに、両側の取付部材７の軸方向内側において、２つ防護カバー３が、その大径筒部１２の開口部が軸方向内向きとなるように配置されている。
【００２４】
このような防護カバー３を設けることによって、ポリマー碍子２の表面絶縁距離および表面漏洩距離を長くすることができるとともに、たとえば、沿岸地域などにおける、塩分によるポリマー碍子２の汚損浸入防止を図り、有効に効果を発揮することができる。そのため、ポリマー碍子２の電気絶縁性能および汚損防止性能を向上させることができる。
【００２５】
しかも、この防護カバー３は、小径筒部１３の開口部を広く引き伸ばせば、突部１４や取付部材７などを乗り越えて、ポリマー碍子２の胴部１１における任意の位置に、容易に圧着固定することができる。そのため、たとえば、耐塩用として専用のポリマー碍子を用意せずとも、このような既存のポリマー碍子としても使用し得るポリマー碍子２に取り付けて、耐塩用として用いることができる。また、防護カバー３のみを単独で成形してポリマー碍子２に取り付けるため、たとえば、被覆材６と一体成形する場合などに比べて、専用の大きな金型などが不要であり、コストの低減化を図ることができる。さらに、取付後においても、再び、引き伸ばせば、胴部１１における別の位置に取り付けることができるので、常に実使用に即した、変更使用が可能となり、さらには、再び、取り外して、ポリマー碍子２を元の状態で使用することもできる。
【００２６】
そして、このような電線用スペーサ１では、ポリマー碍子２の胴部１１において、取付位置を任意に選択して防護カバー３が取り付けられるので、取付位置の自由度が大きく、そのため、常に実使用に即して防護カバー３が配置された状態で使用することができる。
【００２７】
なお、防護カバー３は、芯材４を支持金具５に取り付ける前に、その胴部１１に取り付けてもよく、また、芯材４を支持金具５に取り付けた後に、その胴部１１に取り付けてもよい。
【００２８】
そして、このような電線用スペーサ１は、複数の本線よりも下方にメッセンジャーワイヤーを張設して、このメッセンジャーワイヤーに複数の分岐線をそれぞれ支持する、いわゆる空中Ｔ型分岐構造において、メッセンジャーワイヤーの途中に介在させる電線用スペーサとして、好適に用いることができる。
【００２９】
次に、この電線用スペーサ１が用いられる空中Ｔ型分岐構造について、図３および図４を参照して説明する。
【００３０】
図３に示すように、この空中Ｔ型分岐構造は、主として、道路の交差点付近など、道路占用許可の条件などにより電柱を設けることができない場所において、水平に配線された電線を空中でＴ型分岐するために適用される。
【００３１】
図３において、このＴ型分岐構造は、２つの電柱２１および２２の間に、水平に配線される３本の本線２３から、それぞれの本線２３に対応する３本の分岐線２４を分岐して、この分岐線２４を電柱２０に向けて配線するものである。この分岐構造では、先ず、３本の本線２３から公知の方法によって分岐線２４をそれぞれ分岐するとともに、本線２３よりも下方には、電柱２１および２２の間において、その長さ方向の途中に、上記した電線用スペーサ１が介在されているメッセンジャーワイヤー２５を張設する。
【００３２】
電線用スペーサ１をメッセンジャーワイヤー２５に介在させるには、図４に示すように、予め用意した１本の電線用スペーサ１の長さ方向両端部に、メッセンジャーワイヤー２５を取り付けるようにする。より具体的には、可撓性のある細長い帯紐状の引留グリップ２６を用いて、この引留グリップ２６を、電線用スペーサ１の固定部９に挿通している固定ボルト１０に巻回するとともに、メッセンジャーワイヤー２５に巻付けるようにすればよい。なお、この引留グリップ２６は、通常、鋼線から形成されている。
【００３３】
そして、図３に示すように、このような電線用スペーサ１が介在されているメッセンジャーワイヤー２５を、本線２３よりも下方の、電柱２１および２２の間に張設するとともに、メッセンジャーワイヤー２５における電線用スペーサ１の取付部材７に、本線２３から分岐した分岐線２４を支持させる。なお、電柱２１および２２の間にメッセンジャーワイヤー２５を張設するには、適宜公知の手法を用いればよい。
【００３４】
電線用スペーサ１の取付部材７に、本線２３から分岐した分岐線２４を支持させるには、図４に示すように、クランプや巻き付けグリップ２７を用いればよい。すなわち、このクランプおよび巻き付けグリップ２７は、分岐線２４を挿通可能に支持する支持部２８と、この支持部２８に取り付けられ、電線用スペーサ１の取付部材７に掛け回される略Ｕ字状の取付杆２９とを備えており、支持部２８に分岐線２４を挿通し、図示しない締付部材によって、挿通された分岐線２４を締め付けることによって支持部２８に分岐線２４を固定する一方、取付杆２９を電線用スペーサ１の取付部材７に掛け回し、これを分岐線２４が取り付けられた支持部２８に取り付けることによって、クランプおよび巻き付けグリップ２７を取付部材７に取り付けるようにすればよい。なお、このクランプおよび巻き付けグリップ２７の支持部２８および取付杆２９は金属材料などにより形成されているが、支持部２８は絶縁カバー３０により被覆されており、また、取付杆２９も絶縁材料により被覆されている。
【００３５】
このような空中Ｔ型分岐構造では、メッセンジャーワイヤー２５の長さ方向途中に電線用スペーサ１を介在させるのみの簡易な構成によって、分岐線２４を、電線用スペーサ１に設けられる取付部材７にクランプおよび巻き付けグリップ２７により支持させれば、そのまま電線用スペーサ１が介在されたメッセンジャーワイヤー２５に、絶縁した状態で容易に支持させることができる。そのため、部品点数および組み付け工程数が少なく、コストの低減を図ることができるとともに、構成の簡易化による美装化を図ることができる。
【００３６】
しかるに、このような空中Ｔ型分岐構造は、いろいろな場所において設置されるので、メッセンジャーワイヤー２５の途中に介在させる電線用スペーサ１として、上記した電線用スペーサ１を用いれば、各設置場所に常に適するように、防護カバー３を電線用スペーサ１の胴部１１に配置させて使用することができる。そのため、たとえば、沿岸地域においても、長期において電流の漏れのない、空中Ｔ型分岐構造を提供することができる。
【００３７】
なお、上記においては、防護カバー３を、電線用スペーサ１として使用されるポリマー碍子２に適用する例として説明したが、本発明のポリマー碍子用防護カバーは、電線用スペーサ１として使用されるポリマー碍子２に限らず、その他のすべてのポリマー碍子に適用することができる。したがって、本発明のポリマー碍子用防護カバーが適用されるポリマー碍子は、たとえば、取付部材７などが形成されていないものであってもよく、また、芯材４の長短などは問われない。
【００３８】
また、防護カバー３は、たとえば、図５および図６に示すようなものであってもよい。すなわち、図５に示す防護カバー３は、上記した防護カバー３における大径筒部１２の開口端部に、径方向内側に向かって突出する折り返し部１５が周状に一体成形されている。このような折り返し部１５を設けることによって、より一層、塩分によるポリマー碍子２の汚損を有効に防止することができる。そのため、ポリマー碍子２の汚損防止性能を、より一層、向上させることができる。
【００３９】
また、図６に示す防護カバー３は、小径筒部１３の一方側端部から、大径筒部１２が、次第に拡径されるようなラッパ形状として形成されている。
【００４０】
【発明の効果】
以上述べたように、請求項１に記載の発明によれば、たとえば、耐塩用として専用のポリマー碍子を用意せずとも、既存のポリマー碍子に容易に取り付けて、耐塩用として用いることができる。また、ポリマー碍子用防護カバーのみを単独で成形するので、コストの低減化を図ることができる。さらに、取付後においても、再び、胴部における別の位置に取り付けることができるので、常に実使用に即した、変更使用が可能となり、さらには、再び、取り外して、ポリマー碍子を元の状態で使用することもできる。
【００４１】
請求項２に記載の発明によれば、電線用スペーサの胴部において、取付位置を任意に選択してポリマー碍子用防護カバーを容易に取り付けることができるので、取付位置の自由度が大きく、そのため、常に実使用に即して、ポリマー碍子用防護カバーが配置された状態で使用することができる。
【００４２】
請求項３に記載の発明によれば、沿岸地域においても、長期において電流の漏れのない、空中Ｔ型分岐構造を提供することができる。
【図面の簡単な説明】
【図１】本発明のポリマー碍子用防護カバーを備える電線用スペーサの一実施形態を示す側面図である。
【図２】図１における要部側断面図である。
【図３】空中Ｔ型分岐構造の一実施形態を示す全体構成図である。
【図４】図３における空中Ｔ型分岐構造の要部を示す斜視図である。
【図５】本発明のポリマー碍子用防護カバーの他の実施形態を示す要部側断面図である。
【図６】本発明のポリマー碍子用防護カバーの他の実施形態を示す要部側断面図である。
【符号の説明】
１  電線用スペーサ
２  ポリマー碍子
３  防護カバー
１１  胴部
２３  本線
２４  分岐線
２５  メッセンジャーワイヤー
【図１】
0003796396.tif 000002
【図２】
0003796396.tif 000003
【図３】
0003796396.tif 000004
【図４】
0003796396.tif 000005
【図５】
0003796396.tif 000006
【図６】
0003796396.tif 000007